(57)【要約】【課題】ラップが静電気等によりラップロール本体に吸い付くことを防止する。【解決手段】本発明は、ラップが巻かれたラップロールを収納し上面が開口しているラップ収納箱本体およびラップ収納箱本体に接続し前記開口部を閉じることが可能な開閉自在のラップ収納箱上蓋を有するラップ収納箱において、ラップ収納箱に備わる切断刃により切断した後にラップ収納箱の開閉用上蓋を開いたときに、引き出されたラップがラップ収納箱に収納されたラップロール本体へ吸い付くことを防止するために、ラップ収納箱本体の内側空間に収納されたラップの上面上側に配置され、前記ラップ収納箱のラップが引き出される開口部の開口面の一部または全部を被うラップ収納箱本体開口部押さえ板を備えたことを特徴とするラップ収納箱である。【選択図】図２
2016210470.tif 000002
【特許請求の範囲】
【請求項１】
ラップが巻かれたラップロールを収納し上面が開口しているラップ収納箱本体およびラップ収納箱本体に接続し前記開口部を閉じることが可能な開閉自在のラップ収納箱上蓋を有するラップ収納箱において、ラップ収納箱本体の内側空間に収納されたラップの上面上側に配置され、前記ラップ収納箱のラップが引き出される開口部の開口面の一部または全部を被うラップ収納箱本体開口部押さえ板を備えたことを特徴とするラップ収納箱。
【請求項２】
前記ラップ収納箱本体開口部押さえ板は１枚または２枚であり、ラップ収納箱本体の短辺側側面または長辺側側面と連結しており、当該連結部において前記ラップ収納箱本体開口部押さえ板は開閉自在であることを特徴とする、請求項１に記載のラップ収納箱。
【請求項３】
前記ラップ収納箱本体開口部押さえ板がラップ収納箱本体の２つの短辺側側面に各１枚連結している場合において、前記２枚のラップ収納箱本体開口部押さえ板はそれらの先端側で重なり、その重なり部において前記ラップ収納箱本体開口部押さえ板の先端側から切れ目が形成されており、その切れ目において互いのラップ収納箱本体開口部押さえ板を交叉させて２枚のラップ収納箱本体開口部押さえ板を止めることができるようにしたことを特徴とする、請求項２に記載のラップ収納箱。
【請求項４】
前記ラップ収納箱本体開口部押さえ板がラップ収納箱本体の１方または両方の短辺側側面に１枚連結している場合において、前記押さえ板は前記開口部におけるラップ出口側の一部または全部を被うことを特徴とする、請求項２に記載のラップ収納箱。
【請求項５】
前記ラップ収納箱本体開口部押さえ板は、紙、木材、プラスチック、および金属から選択された１つまたは２つ以上の材料から作製されていることを特徴とする、請求項１〜４のいずれか１項に記載のラップ収納箱。
【発明の詳細な説明】
【技術分野】
【０００１】
本発明は、食品や野菜等を包装する際に用いるラップを収納するラップ収納箱に関する。
【背景技術】
【０００２】
食品や野菜等を包装する際に家庭や食品工場などでラップ（包装フィルム）が多用されている。ラップは細長い円筒状のロール紙に巻かれた状態（以下、ラップロール本体）で、細長い直方体形状の収納箱に収納されている。収納箱は開閉式の蓋（収納箱上蓋）とラップロール本体が収納される収納箱本体とから構成され、開閉式の上蓋の長手方向側面の一端にはラップ切断用の鋸歯状の切断刃（または切断歯）が備わっている。ラップを使用するときは、開閉式の上蓋を開いて、収納箱本体に収納されたラップロール本体のラップ先端部を引いた後に収納箱上蓋を閉じて、ラップを切断刃で切断する。次にラップを使用するときは、ラップの（切断後の）先端部は収納箱上蓋で隠されているので、再度収納箱蓋を開いた後に、ラップ先端部を指でつまんで再度引く。この動作の繰り返しでラップを使用する。
【先行技術文献】
【特許文献】
【０００３】
【特許文献１】特開２０１１−１２６６００
【発明の概要】
【発明が解決しようとする課題】
【０００４】
次のラップを使用するときに、収納箱上蓋を開くと、開閉式の上蓋に取り付けた切断刃の所で押さえられていたラップが上蓋から離れて、静電気や開いたときの風圧によってラップロール本体に吸い付く現象が頻繁に起こる。ラップロール本体に吸い付いたラップの先端部は分かりにくくなり、その先端部を探すのに苦労する。ラップの先端部を探し当ててもラップの先端部を指でつまむことも案外むずかしく、ラップを損傷したり、指からラップへ汚れが付着したりすることもある。ラップの先端部を探すのは時間もかかり作業性も悪く、さらにいらいらも感じて精神上も余り良くない。ラップが損傷したり、ラップに汚れが付いたりすれば、それらの部分を取り除く必要があるので、コストアップとなる。特許文献１は、ラップ収納箱を収納するラップ切断補助器が提案されているが、これを用いてもラップが静電気等でラップロール本体に吸い付く現象を抑えることはできず、またラップ切断補助器が複雑でさらにコストアップとなる。
【課題を解決するための手段】
【０００５】
上記課題を解決するために、本発明はラップ収納箱本体の開口部を被うラップ収納箱本体開口部押さえ板を備えたラップ収納箱であることを特徴とする。具体的には以下の特徴を有する。
（１）本発明は、ラップが巻かれたラップロールを収納し上面が開口しているラップ収納箱本体およびラップ収納箱本体に接続し前記開口部を閉じることが可能な開閉自在のラップ収納箱上蓋を有するラップ収納箱において、ラップ収納箱本体の内側空間に収納されたラップの上面上側に配置され、前記ラップ収納箱のラップが引き出される開口部の開口面の一部または全部を被うラップ収納箱本体開口部押さえ板を備えたことを特徴とするラップ収納箱である。
（２）本発明は、前記ラップ収納箱本体開口部押さえ板は１枚または２枚であり、ラップ収納箱本体の短辺側側面または長辺側側面と連結しており、当該連結部において前記ラップ収納箱本体開口部押さえ板は開閉自在であることを特徴とするラップ収納箱である。
（３）本発明は、前記２枚のラップ収納箱本体開口部押さえ板はそれらの先端側で重なり、その重なり部において前記ラップ収納箱本体開口部押さえ板の先端側から切れ目が形成されており、その切れ目において互いのラップ収納箱本体開口部押さえ板を交叉させて２枚のラップ収納箱本体開口部押さえ板を止めることができ、さらに前記ラップ収納箱本体開口部押さえ板は、紙、木材、プラスチック、および金属から選択された１つまたは２つ以上の材料から作製されていることを特徴とするラップ収納箱である。
【発明の効果】
【０００６】
本発明のラップ収納箱本体開口部押さえ板を使用することによって、外側に引き出されたラップがラップロール本体に吸い付くことがなくなり、その結果、簡単にラップ端部を指でつかんで適度な長さで切断できる。また、ラップを損傷したりすることもなくなるので、ラップを無駄に捨てることがなくなりコスト低減化もできる。さらに、ラップロール本体に巻いたラップに触ることもなくなり、ラップロール本体に巻いたラップが常に清浄な（最初の状態と同じ）状態を保持することができ、衛生面もかなり向上できる。さらに、本発明のラップ収納箱本体開口部押さえ板で開口部を被っているので、ラップ収納箱内部に収納されたラップロール本体がラップ収納箱の外側に飛び出すことがなくなり、安心してラップを引き出すことができるという効果もある。
【図面の簡単な説明】
【０００７】
【図１】図１は、ラップ収納箱の開口部に備わる本発明のラップ収納箱本体開口部押さえ板の実施形態を示す図である。
【図２】図２は、ラップ収納箱本体開口部押さえ板がラップ収納箱本体開口部を被った状態を示す図である。
【図３】図３は、ラップ収納箱上蓋をラップ収納箱本体に被せて閉じた状態を示す図である。
【図４】図４は、ラップを切断後にラップ収納箱上蓋を上げて開いた状態を示す図である。
【図５】図５は、ラップをラップ収納箱の外側へ引き出した状態を示す本発明のラップ収納箱の断面図である。
【図６】図６は、本発明のラップ収納箱本体開口部押さえ板を取り付けたラップ収納箱の別の実施形態を示す図である。
【図７】図７は、ラップ収納箱本体開口部の一部を被う本発明のラップ収納箱本体開口部押さえ板を取り付けたラップ収納箱の実施形態を示す図である。
【発明を実施するための形態】
【０００８】
本発明は、ラップ収納箱の開口部にラップ収納箱本体開口部押さえ板を備えたもので、それによってラップが静電気等によりラップロール本体に吸い付くことを防止したものである。
図１は、ラップ収納箱の開口部に備わる本発明のラップ収納箱本体開口部押さえ板４１および４３の実施形態を示す図である。ラップ収納箱本体開口部押さえ板４１および４３がなければ、図１は、通常のラップ３２を巻いたラップロール本体３０を収納したラップ収納箱１のラップ収納箱（上）蓋２０を開いた状態と同様の図となる。図１において、ラップ３２はラップロール本体３０から引き上がられてラップ収納箱１の外側に出ている。ラップ収納箱１は、ラップ３２を巻いたラップロール本体３０を収納するラップ収納箱本体１０およびラップ収納箱本体１０の開口部を被う開閉可能な開閉蓋（ラップ収納箱上蓋）２０から構成される。尚、図１では、ラップ収納箱本体開口部押さえ板４１および４３の後側が分かるように半透明で描いているが、不透明の材料でも良いし、透明材料でも良い。
【０００９】
ラップ収納箱本体１０は、横長（Ｘ方向に長い）の直方体形状であり、縦方向（Ｙ方向）および高さ方向（Ｚ方向）はほぼ同じ長さであり、上面側（Ｚ方向）が開口しており、その他の側面（長手（横すなわちＸ）方向の２側面１２および１５、並びにＹ方向およびＺ方向の短辺を有する２側面１３および１４）および底面１６は閉じていて、それらに囲まれたラップ収納箱本体１０の内側は上面側が開口したラップロール本体収納空間１１となっている。
【００１０】
ラップ収納箱上蓋２０は、ラップ収納箱本体１０の上面、すなわち開口部を被う面（ラップ収納箱上蓋上面）１７、ラップ収納箱上蓋上面１７の短辺側に接続し、ラップ収納箱上蓋２０が閉じたときに、ラップ収納箱本体１０の側面１３および１４に重なる２側面１９および２２、並びにラップ収納箱上蓋上面および側面１９および２２と略直角に接続し、ラップ収納箱上蓋２０が閉じたときに、ラップ収納箱本体１０の長手方向側面１２と重なるラップ収納箱上蓋長手方向側面１８から構成される。ラップ収納箱上蓋長手方向側面１８には、その長手方向の一端辺にラップ切断用の切断刃（歯）２１が取り付けられる。またラップ収納箱上蓋長手方向側面１８の長手方向の他端辺はラップ収納箱本体１０長手方向の側面１５と接続しており、その接続部（連結部とも言う）においてラップ収納箱上蓋は開閉可能になっている。ラップ収納箱１が紙で作成されていてラップ収納箱上蓋長手方向側面１８とラップ収納箱本体１０長手方向の側面１５と一体となっているときは、これらの接続部で折り曲げ自在に作製されている。
【００１１】
本発明のラップ収納箱は、ラップ収納箱本体１０の開口部を被うようにラップ収納箱本体開口部押さえ板４１および４３が取り付けられている。このラップ収納箱本体開口部押さえ板４１および４３はラップ収納箱本体１０の開口部の大きさと同じかまたは小さく形成されており、ラップ収納箱上蓋２０を閉じたときにもその開閉に支障がないように作製されている。あるいは、ラップ３２を切断するときに支障がないような大きさと形状に作製されている。図１では、ラップ収納箱本体開口部押さえ板４１および４３はラップ収納箱本体１０の短辺側の側面１３および１４にそれぞれ接続し、その接続部で開閉可能に取り付けられる。
【００１２】
図１では、ラップ収納箱本体開口部押さえ板４１および４３は開いた状態で示されているが、図２はこれらのラップ収納箱本体開口部押さえ板４１および４３がラップ収納箱本体１０の開口部を被った状態を示す。すなわち、ラップ３２がラップ収納箱本体１０の外側へ引き出された状態（図１に示す）から、ラップ収納箱本体開口部押さえ板４１および４３をラップ収納箱本体１０の上面である開口部の方へ（矢印Ａ１およびＡ２方向へ）倒して、ラップ収納箱本体１０の開口部にふたをする。ラップ収納箱本体開口部押さえ板４１および４３の合わせた長さは、ラップ収納箱本体１０の開口部の長手方向（Ｘ方向）長さよりも長く形成され、ラップ収納箱本体１０の開口部を閉じたときにラップ収納箱本体開口部押さえ板４１および４３は重なる部分が生じる。すなわち、ラップ収納箱本体開口部押さえ板４１と４３を合わせた長さは、ラップ収納箱本体１０の開口部の長さよりも長く、ラップ収納箱本体１０の開口部の長さの２倍よりも短い。
【００１３】
この重なり部分において、ラップ収納箱本体開口部押さえ板４１および４３の略中央部分に長手方向（Ｘ方向）に切れ目４２および４４を形成しておくことによって、ラップ収納箱本体開口部押さえ板４１および４３でラップ収納箱本体１０の開口部を閉じたときに、図２に示すように切れ目４２および４４を使ってお互いを交叉させることができる。たとえば、ラップ収納箱本体開口部押さえ板４１の切れ目部分の片側板４５およびラップ収納箱本体開口部押さえ板４３の切れ目部分の片側板４６を上側に来るように交叉させる。このように交叉させることによって、ラップ収納箱本体開口部押さえ板４１および４３は、閉じた状態を保持することができ、ラップ収納箱本体開口部押さえ板をラップ収納箱本体開口部に止めることができるようになる。特に、ラップ収納箱本体開口部押さえ板４１および４３が紙製のときには、ラップ収納箱本体開口部押さえ板４１および４３を閉じても開き易いので、上記のような切れ目を入れてお互いを交叉させることは有効であり、また紙製なので変形も容易でお互いを切れ目に入れて交叉させやすい。また、木材の薄い板やセルロイド等のプラスチック製の薄い板、あるいは薄い金属もラップ収納箱本体開口部押さえ板として使用できる。尚、切れ目はラップ収納箱本体開口部押さえ板４１および４３の重なり部分より長くても良く、お互いを交叉させることができる。
【００１４】
ラップ収納箱本体開口部押さえ板４１および４３は、ラップ収納箱本体１０の側面１３および１４と一体に形成しても良い。たとえば、紙や薄いプラスチックや薄い木材板、薄い金属であれば、それらの接続部で折り曲げ自在に作製することができる。あるいは、接着テープでそれらを接続しても良い。ラップ３２は、ラップ収納箱本体開口部押さえ板４１および４３とラップ収納箱本体１０も長手方向側面１２との隙間Ｓから引き出すことができる。この隙間Ｓは、ラップ収納箱本体１０の長辺方向側面１２の高さ（Ｚ方向）をラップ収納箱本体１０の短辺側側面１３および１５の高さ（Ｚ方向）より短くすることによって形成できる。一定長さのラップ３２を引き出した後で、ラップ収納箱上蓋２０を矢印Ｂ１方向へ動かして閉じる。このように、ラップ収納箱本体開口部押さえ板４１および４３は、ラップ３２の上面上側に配置される。
【００１５】
図５は、ラップ３２をラップ収納箱１の外側へ引き出した状態を示す本発明のラップ収納箱の断面図である。図２に示す状態のラップ収納箱１の中央部分を示す断面模式図と考えることもできる。図５（ａ）はラップ収納箱上蓋２０を開いた状態を示す図で、図５（ｂ）はラップ収納箱上蓋２０を閉じた状態を示す図である。ラップ収納箱本体１０のラップロール本体収納空間１１内にラップ３２がロール３３の回りに多重に巻かれたロール本体３０が収納されている。ラップロール本体収納空間１１の上面、すなわちラップ収納箱本体１０の開口部、すなわちラップ収納箱本体１０の上面をラップ収納箱本体開口部押さえ板４１、４３、４５、４６が被っている。ラップ収納箱本体開口部押さえ板４１、４３、４５、４６の幅（Ｙ方向）はラップ収納箱本体１０の幅とほぼ同じか、それより短く形成される。
【００１６】
ラップ収納箱本体１０の長辺側側面１２の高さはラップ収納箱本体１０の高さよりも小さいので、ラップ収納箱本体開口部押さえ板４１、４３、４５、４６とラップ収納箱本体１０の長辺側側面１２の間には隙間３２が空いており、この隙間Ｓを通ってラップ３２が外側に引き出される。隙間Ｓが余り大きくならないように、ラップ収納箱本体１０の前方の長辺側側面１２の上辺上にラップ収納箱本体開口部押さえ板４１、４３、４５、４６が来るように配置するのが良い。ただし、図５（ｂ）に示すように、ラップ収納箱上蓋２０がラップ収納箱本体１０に確実に被るようにラップ収納箱本体開口部押さえ板４１、４３、４５、４６がラップ収納箱上蓋長手方向側面１８に当たらないようにする必要がある。すなわち、ラップ収納箱本体１０の前方の長辺側側面１２の上辺とラップ収納箱本体開口部押さえ板４１、４３、４５、４６の長辺がほぼ鉛直線上に一致するのが良い。
【００１７】
図５（ｂ）に示すように、外側に適当な長さでラップ３２が引き出されて、ラップ収納箱上蓋長手方向側面１８に取り付けられた切断刃２１に当ててラップ３２がカットされる。図５（ａ）に示すように、切断刃２１でラップ３２を切断した後に上蓋２０を開いてもラップ収納箱本体開口部押さえ板４１、４３、４５、４６はラップ収納箱本体１０の開口部を閉じた状態になっているので、ラップ３２がラップロール本体３０へ吸い付くことはない。また、この状態でラップ３２を引き出したときにもラップ収納箱本体開口部押さえ板４１、４３、４５、４６が閉じた状態になっているので、ラップロール本体３０がラップ収納箱本体の外側に出て来ることがなく、しかも隙間Ｓがあるので、ラップ３２を外側へ楽に引き出すことができる。
【００１８】
ラップ収納箱本体開口部押さえ板４１、４３の幅方向（Ｙ方向）の奥側は、ラップ収納箱本体１０の奥側（後方）長辺側側面１５まで伸びていても良いし（この場合はラップ収納箱本体１０の開口部の（幅方向）全体を被う）、あるいは途中で切れていても良い（この場合はラップ収納箱本体１０の開口部の（幅方向）一部を被う）。図６に示すラップ収納箱本体開口部押さえ板４８のような場合には、ラップ収納箱本体１０の奥側（後方）長辺側側面１５またはラップ収納箱上蓋２０の上面２１、または側面１５および上面２１の接続部６１に接続（連結）する。そして、ラップ収納箱本体開口部押さえ板４８はその接続部で開閉できるように取り付けられる。あるいは、分離したラップ収納箱本体開口部押さえ板を簡単にラップ収納箱本体１０の開口部に被せることもでき、動かないように接着テープなどでラップ収納箱本体やラップ収納箱上蓋へ付設することもできる。
【００１９】
図３は、ラップ収納箱上蓋２０をラップ収納箱本体１０に被せて閉じた状態を示す図である。適度な長さに引き出したラップ３２を切断刃２１に押し当てて切断する。ラップ３２を切断後、ラップ３２はラップ収納箱１のラップ収納箱上蓋２０に取り付けられた切断刃２１の内側に付着しているので、図３に示すラップ収納箱上蓋２０をラップ収納箱本体１０に被せて閉じた状態では、ラップ３２を引き出すことが難しい。
【００２０】
そこで、ラップ収納箱上蓋２０を上げて、図４に示すようにラップ収納箱上蓋２０を開いてラップ３２を切断刃２１から離れるようにする。すなわち、図４は、ラップ３２を切断後にラップ収納箱上蓋２０を上げて開いた状態を示す図である。ラップ収納箱上蓋２０を上げてラップ３２が切断刃２１から離れるときに、ラップ３２は背電気を帯びるので、ラップ３２は巻き戻り（あるいは巻き縮れ）ラップロール本体３０に付着しようとする。しかし、本発明のラップ収納箱本体開口部押さえ板４１および４３により、ラップ収納箱本体１０の開口部は閉じた状態になっているので、ラップ３２は巻き戻ってラップロール本体に付着することができない。尚、隙間Ｓはそれほど広くないのでこの隙間Ｓを通ってラップ３２の先端部がラップロール本体３０に吸い付くことはない。
【００２１】
また、ラップ収納箱上蓋２０を上げたときに風圧が発生しても、やはり、本発明のラップ収納箱本体開口部押さえ板４１および４３により、ラップ収納箱本体１０の開口部は閉じた状態になっているので、ラップ３２は巻き戻ってラップロール本体に付着することができない。すなわち、ラップ３２は、ラップ収納箱本体開口部押さえ板４１および４３とラップ収納箱本体も長手方向側面１２との隙間Ｓから出た状態であり、しかも切断刃２１から離れている状態となっている。
【００２２】
或いはラップ収納箱上蓋２０を上げて開いたときに、ラップ３２が切断刃２１から離れずラップロール本体３０から引き出そうとする場合もあるが、本発明のラップ収納箱本体開口部押さえ板４１および４３によって、ラップ３２の引き出しが抑えられるので、ラップ３２は切断刃２１から容易に離すこともできる。このときもラップ３２は、ラップ収納箱本体開口部押さえ板４１および４３とラップ収納箱本体も長手方向側面１２との隙間Ｓから出た状態となる。尚、図４では、ラップ収納箱本体開口部押さえ板４１および４３をラップ収納箱本体１０の短辺側側面１３および１４へ接着テープ５１および５２で折り曲げ可能に連結（接続）している。
【００２３】
従って、ラップ収納箱本体開口部押さえ板４１および４３が閉じてラップ収納箱本体開口部に被さっているときは、ラップ３２の端部が外側へ出ているので、容易にラップ３２を引き出すことができる。すなわち、図１の状態にしなくとも、図４または図２のようにラップ収納箱上蓋２０を開いた状態で、ラップ３２を指等でつまんで適当な長さまで引き出すことが可能となる。尚、図２や図４のようにラップ収納箱上蓋２０を１８０度近く開かなくても、ラップ収納箱上蓋２０を少し（約１０度〜約６０度）開いた状態でラップ３２を引き出すことができる。この繰り返しでラップ３２を適度な長さで何回も切断することができる。
【００２４】
以上説明した様に、本発明のラップ収納箱本体開口部押さえ板を使用することによって、外側に引き出されたラップがラップロール本体に吸い付くことがなくなり、その結果、簡単にラップ端部を指でつかんで適度な長さで切断できる。また、ラップを損傷したりすることもなくなるので、ラップを無駄に捨てることがなくなりコスト低減化もできる。さらに、ラップロール本体に巻いたラップに触ることもなくなり、ラップロール本体に巻いたラップが常に清浄な（最初の状態と同じ）状態を保持することができ、衛生面もかなり向上できる。さらに、本発明のラップ収納箱本体開口部押さえ板で開口部を被っているので、ラップ収納箱内部に収納されたラップロール本体がラップ収納箱の外側に飛び出すことがなくなり、安心してラップを引き出すことができる。
【００２５】
図１〜図４においては、２枚のラップ収納箱本体開口部押さえ板は重ねたときに重なり部が存在したが、重なり部がなくても良い。さらに２枚のラップ収納箱本体開口部押さえ板を合わせた長さはラップ収納箱本体１０の開口部の長さよりも短くても良く、その場合は２枚のラップ収納箱本体開口部押さえ板を閉じたときにラップ収納箱本体１０の開口部の長手方向に開口部が残るが、ラップ収納箱本体開口部押さえ板がラップの両側を被っていれば良く、ラップ収納箱上蓋を開いたときにラップ収納箱本体開口部押さえ板が開かない程度になっていれば良い。或いは、ラップ収納箱本体開口部押さえ板が１枚でも良く、ラップ収納箱に予め連結していなくても良く、後でラップ収納箱本体開口部押さえ板を取り付けても良い。また、ラップ収納箱本体開口部押さえ板は２枚でなくとも１枚でも良い。その場合、たとえばラップ収納箱本体開口部押さえ板の一端をラップ収納箱本体の短辺側側面に連結（接続）して、その連結部（接続部）で開閉できるようにしても良い。また、１枚のラップ収納箱本体開口部押さえ板の長さは、ラップ収納箱本体開口部の長さ（横方向、Ｘ方向）と同じか、または短くする。これによりラップ収納箱上蓋が押さえ板に邪魔されることなくラップ収納箱本体に被せることができる。
【００２６】
図６は、本発明のラップ収納箱本体開口部押さえ板を取り付けたラップ収納箱の別の実施形態を示す図である。ラップ収納箱本体開口部押さえ板４７は１枚であり、かつラップ収納箱本体１０およびラップ収納箱上蓋２０の接続部に連結している。あるいは、ラップ収納箱本体開口部押さえ板４７は、ラップ収納箱本体１０の奥側（後方）の長辺側側面１５またはラップ収納箱上蓋２０の上面１７に接続（連結）しても良い。ラップ収納箱本体開口部押さえ板４７は、その接続部（連結部）でラップ収納箱上蓋２０とは別個に開閉でき、ラップ収納箱本体開口部を被うことができる。最初にラップロール本体３０に巻き付いたラップ３２を外側に引き出した後に、ラップ収納箱本体開口部押さえ板４７がラップ収納箱本体開口部を被うように閉じて使用する。ラップ収納箱本体開口部４７を閉じた後で、開きやすい場合には、接着テープ等でラップ収納箱本体２０の側面１２、１３、および／または１４と固定できるようにしても良い。尚、図６では、ラップ収納箱本体開口部押さえ板４７の後側が分かるように半透明で描いているが、不透明の材料でも良いし、透明材料でも良い。
【００２７】
図１〜図６では、ラップ収納箱本体開口部のほぼ全面を被うように示しているが、一部だけ被うだけでも良い。図７は、ラップ収納箱本体開口部の一部を被う本発明のラップ収納箱本体開口部押さえ板を取り付けたラップ収納箱の実施形態を示す図である。図７に示すラップ収納箱本体開口部押さえ板４８および４９は、それぞれラップ収納箱本体の短辺側側面１３および１４に連結し、それらの連結部（接続部）で開閉可能となっている。しかもラップ収納箱本体開口部押さえ板４８および４９の幅（縦方向、Ｙ方向）は、ラップ収納箱本体開口部の幅（Ｙ方向）よりも短い。またラップ収納箱本体開口部押さえ板４８および４９を合わせた長さ（横方向、Ｘ方向）は、ラップ収納箱本体開口部の長さ（横方向、Ｘ方向）よりも短い。すなわち、ラップ収納箱本体開口部押さえ板４８および４９はラップ収納箱本体開口部の一部だけを被っている。
【００２８】
ラップ収納箱本体開口部押さえ板４８および４９はラップ収納箱本体開口部の一部だけを被う場合は、図７に示すようにラップ収納箱本体長辺側側面１２、すなわちラップ出口にもなっている隙間Ｓの方に寄せてラップ３２の両側の上面の上側を被うようにすると良い。図７では、ラップ収納箱本体開口部押さえ板４８および４９を合わせた長さ（横方向、Ｘ方向）は、ラップ収納箱本体開口部の長さ（横方向、Ｘ方向）よりも短いが、ラップ収納箱本体開口部の長さ（横方向、Ｘ方向）と同じか、長くすることもできる。この場合は、ラップ３２の幅全体をカバーできるので、静電気等による、ラップの巻き上がり、または巻き戻し、またはラップロール本体への吸い付きに対する抑止力が大きく効果が大きい。あるいは、ラップ収納箱本体の短辺側側面１３および１４のどちらかに連結した１枚のラップ収納箱本体開口部押さえ板でも良く、その長さをラップ収納箱本体開口部の長さ（横方向、Ｘ方向）と同じか、または短くすることもできる。さらに、１枚のラップ収納箱本体開口部押さえ板でラップ収納箱本体開口部の一部または全部を被うようにすることもできる。以上のように、本発明のラップ収納箱本体開口部押さえ板を使用することによって、ラップ収納箱に備わる切断刃により切断した後にラップ収納箱の開閉用上蓋を開いたときに、引き出されたラップがラップ収納箱に収納されたラップロール本体へ吸い付くことを防止することができる。
【００２９】
以上本発明のラップ収納箱本体開口部押さえ板を有するラップ収納箱について詳細に説明したが、明細書のある部分に記載し説明した内容について、記載しなかった他の部分においても矛盾なく適用できることに関しては、当該他の部分に当該内容を適用できることは言うまでもない。さらに、前記実施形態は一例であり、要旨を逸脱しない範囲内で種々変更して実施でき、本発明の権利範囲が前記実施形態に限定されないことも言うまでもない。
【産業上の利用可能性】
【００３０】
上述した以外にも、本発明のラップ収納箱本体開口部押さえ板は、ロールにシートを巻いたシートロールを収納するシートロール収納箱に取り付けた切断刃でシート引き出して切断する類似の物に対して適用することができる。
【符号の説明】
【００３１】
１・・・ラップ収納箱、１０・・・ラップ収納箱本体、１１・・・ラップロール本体収納空間、１２、１３、１４、１５・・・ラップ収納箱側面、１６・・・ラップ収納箱底面、
１７・・・ラップ収納箱上蓋上面、１８、１９、２２・・・ラップ収納箱上蓋側面、２０・・・ラップ収納箱上蓋、２１・・・ラップ切断用の切断刃、３０・・・ラップロール本体、３２・・・ラップ、３３・・・ロール３３、４０、４１、４３、４５、４６、４７・・・ラップ収納箱本体開口部押さえ板、４２、４４・・・切れ目、Ｓ・・・隙間
【図１】
2016210470.tif 000003
【図２】
2016210470.tif 000004
【図３】
2016210470.tif 000005
【図４】
2016210470.tif 000006
【図５】
2016210470.tif 000007
【図６】
2016210470.tif 000008
【図７】
2016210470.tif 000009